(57)【要約】【課題】従来の手指拘縮予防用具は、手指の固定が十分に出来ず手指のずれが生じ適切でないという問題があった。本発明は、この問題点を解決することを課題とする。【解決手段】本発明は、掌形状の板状の固定部材６に表面から裏面に貫通する複数の通気孔７が設けられたものを布状の被覆材１が固定部材６を被覆しており、被覆材１の表面の掌と接触する面の全体または一部に滑り止め部１ａが配設されていて被覆材１の表面の手首位置と手指関節部の位置する中央部分には、掛合、分離出来るように左右対に設けた面ファスナー４の付いた帯状部材３が固着され、各指を被覆材１の表面に固定する輪状の指固定バンド２を設けたものである。手の指を輪２に挿入して、掌を表面に当て面ファスナー４により留めて装着する。手指を固定できる事により掌と指を伸ばした状態に保つ事ができ、硬直・拘縮予防に役立ち手洗い可能で衛生的である。【選択図】図１
2008000587.tif 000002
【特許請求の範囲】
【請求項１】
掌形状の板状の固定部材が、布状の被覆材により被覆されており、前記被覆材の表面の掌と接触する面の全部又は一部には、滑り止め部が設けられ、前記被覆材の表面の手首位置と手指関節部の位置とには、帯状部材が固定され、各指を前記被覆材の表面に固定する指固定バンドが設けられていることを特徴とする介護用ハンドストレッチ。
【請求項２】
前記固定部材は、その表面から裏面に貫通する複数の通気孔を有することを特徴とする請求項１記載の介護用ハンドストレッチ。
【請求項３】
前記指固定バンドは、各指毎に各々独立した複数の輪状バンドで構成されていることを特徴とする請求項１又は２記載の介護用ハンドストレッチ。
【請求項４】
前記指固定バンドは、各指毎に各々独立した複数の帯状部材で構成されていることを特徴とする請求項１又は２記載の介護用ハンドストレッチ。
【請求項５】
前記指固定バンドは、親指を固定する第１の帯状部材と、人差し指から小指までを固定する第２の帯状部材とから構成されていることを特徴とする請求項１又は２記載の介護用ハンドストレッチ。
【請求項６】
前記帯状部材は、掛合部を有し、この掛合部において、その一端部と他端部とが掛合
、分離するようにされており、前記掛合部は、面ファスナー掛合体から構成されていることを特徴とする請求項１ないし５いずれか１項記載の介護用ハンドストレッチ。
【発明の詳細な説明】
【技術分野】
【０００１】
本発明は、手指の硬直・拘縮防止を図った介護用ハンドストレッチに関するものである。
【背景技術】
【０００２】
脳卒中後遺症患者の多くや様々な病気、または事故などにより身体が麻痺した人は、徐々に手指が硬直・拘縮状態となる。手指の硬直・拘縮は、リハビリをしない時間や睡眠中の屈折状態の継続が筋肉拘縮の予防及び改善を妨げることになる。従来にも手指拘縮予防用具がある（例えば、実開平６−３８９３９参照。）。
【０００３】
以下、図７、図８により従来の手指拘縮予防用具について説明する。吸湿性材料から成る板体８に複数の帯状弾性体９ａ、９ｂを板体８に当接した手の指掌及び前腕を板体８に向かって押圧するように取付け、前記複数の帯状弾性体９ａ、９ｂの幾つかに掛合部１０を設け、その掛合部を面ファスナーから成るものとする。
【０００４】
【特許文献１】実開平６−３８９３９
【発明の開示】
【発明が解決しようとする課題】
【０００５】
以上に述べた従来の手指拘縮予防用具では、硬直・拘縮状態の患者にとっては板体８が滑り止めの付いていない木材８ａや布８ｂを設けているので指や掌が硬直・拘縮しようとする力が働いて、滑ってずれて固定出来ない問題点がある。また、手指を固定する帯状弾性体９ａ、９ｂ、１０が前記板体８の縁部と掛合、分離するように全数または一部掛合部を設けているので、帯状弾性体と手指の間に空間が生じる問題点がある。
【０００６】
また、板体８に木材を使用していて通気性も悪く手指は汗をかき、手洗い不可能なので悪臭の原因となり衛生的でない。また、人差し指、中指、薬指、小指を一カ所の帯状弾性体９ａで固定していて各々独立させ固定していない、しかも通気孔も無いので隣の指との蒸れが生じる問題点がある。
【０００７】
本発明は、このような問題を解決しようとするもので、しかも手に対する違和感が無く、手指、掌を伸ばした状態に固定維持し、手の着脱が容易にでき、蒸れ防止をし、手洗い可能で衛生的であることをも実現することを目的とするものである。
【課題を解決するための手段】
【０００８】
第１の課題解決手段は、掌形状の板状の固定部材に表面から裏面に貫通する複数の通気孔が設けられたものを布状の被覆材が固定部材を被覆しており、被覆材の表面の掌と接触する面の全部または一部に滑り止め部が設けられており、被覆材の表面の手首位置と手指関節部の位置する中央部分には、掛合、分離出来るように左右対に設けた帯状部材が固着され、各指を被覆材表面に固定する輪状の指固定バンドを設けたものである。
【０００９】
また、第２の課題解決手段は、前記指固定バンドが各指ごとに各々独立した、掛合、分離できるように左右対に設けた帯状部材を設けたものである。
【００１０】
また、第３の課題解決手段は、前記指固定バンドが親指を固定する、掛合、分離出来るように左右対に設けた第１の帯状部材と人差し指から小指までを固定する掛合、分離できるように左右対に設けた第２の帯状部材を設けたものである。
【００１１】
上記第１の課題解決手段による作用は次の通りである。掌形状の滑り止めの付いた表面に、手の指、掌を当て、輪に各々の指を挿入することによって指のずれや隣の指との蒸れも防ぎ、指が伸びて固定できる。また、手の甲部と手首の関節が位置する部分には帯状部材を巻き付けて掛合部を使用者の適切な長さに調整できることによって掌が伸びて固定できる。
【００１２】
また、第２の課題解決手段による作用は次の通りである。各指の固定バンドの輪に替わって、布地の掛合部を設けた帯状部材を指の関節部分に巻き付けて使用者の適切な長さに調整できることによって指をさらにしっかり固定できて指が伸びる。
【００１３】
また、第３の課題解決手段による作用は次の通りである。指固定バンドは親指を固定する掛合部を設けた帯状部材と人差し指から小指までを固定する掛合部を設けた帯状部材を指の関節部分に巻き付けて使用者の適切な長さに調節できることによって指をしっかり固定できて指が伸びる。
【００１４】
上記掛合部は、面ファスナーから成るものが好ましく、板状の固定部材は手洗い可能であることが好ましい。また、帯状部材は手の指関節及び前腕の手首近傍部のそれぞれと整合する位置に取り付ける。
【００１５】
さらに指、掌は内部の固定部材に通気孔が開けてあることによって通気性が良く、蒸れない。指、掌が発した汗は、掌形状からなる布地が吸収する。
【発明の効果】
【００１６】
上述したように本発明の介護用ハンドストレッチは、掌が接触する部分に滑り止めを使用しているので絶えず硬直・拘縮しようとする手指の滑りを防止できる。また、指や手の甲部や手首の関節の固定に輪や面ファスナーのついた布の帯状部材を設けるので手に対する違和感が無く、手の着脱が簡単で時間がかからない。
【００１７】
また、帯状部材は、手指の位置する中央部に掛合、分離出来るように左右対に設け、手指に巻き付けて面ファスナーにより長さを利用する人の最も適した強さに調整できるので帯状部材と指の間に空間も生じることなく手指の滑りやずれもなく、しっかりと固定できる。
【００１８】
また、掌形状の内部に通気性のために複数の通気孔が貫通された手洗い可能な板状の固定部材を詰め込んであるので、通気性も良い。さらに本介護用ハンドストレッチは手洗い可能で衛生的である。板体面に指、掌を当てて指を輪や帯状部材に挿入し、その指、掌の外側に帯状部材を張着すると指、掌は板体に沿って伸びて指を大きく広げ伸ばした状態に維持することが出来るので硬直・拘縮を防止できる効果がある。
【発明を実施するための最良の形態】
【００１９】
以下、本発明の実施の形態を添付図面に基づいて説明する。
【実施例１】
【００２０】
図１は、掌形状の板状の固定部材６が布状の被覆材１により被覆されており、被覆材１の表面の掌と接触する面の全部または一部には滑り止め部１ａが設けられた硬直と拘縮予防の介護用ハンドストレッチを示している。
【００２１】
被覆材１の滑り止め１ａの付いた表面に手の指関節を固定できる位置に設けた２は、指を挿入しやすく取り外し易い幅数ｃｍ、好ましくは２ｃｍくらいの伸縮性の輪で、指を締め付けないように余裕を持たせる。各指に１ないし数カ所ずつ、好ましくは２カ所ずつくらい輪を設けるので、硬直・拘縮・隣の指との蒸れなどを防ぎ、伸縮性なので着脱が容易である。
【００２２】
手の甲部の関節と手首を固定できる位置に設けた３は、幅数ｃｍくらい、好ましくは４ｃｍくらいの綿とポリエステル混紡の布地の帯状部材であって、手の甲部や手首を間に挟んで左右対になるように被覆材１の中央部に設けたものである。４は、面ファスナーで帯状部材３を対に留めて長さを調節するためのものであり、５は、綿布の接着芯で帯状部材３を強化するためのものである。
【００２３】
６は、掌形状の手洗い可能な板状の固定部材で、複数の通気孔７を設けたものである。７は通気孔で、通気性を良くするために板状の固定部材６に貫通形成されたものである。
【００２４】
以下、上記構成のハンドストレッチの使用法を説明する。板体の表面に手の指、掌を当てて、各々の指を輪２に挿入する。手の甲部と手首に帯状部材３を巻き付けて面ファスナー４により長さを調節して留めて手に装着する。
【実施例２】
【００２５】
また、図３、４において、複数の通気孔７を設けた掌形状の固定部材６をハンドストレッチ本体の内部に埋め込み、滑り止め部１ａが配設された被覆材１の表面に各指ごとに面ファスナー４を先端に取り付けた綿布の接着芯５を貼った綿とポリエステル混紡の布地の帯状部材３の掛合部を左右対になるように設ける。また、手の甲部の関節と手首を固定できる位置に、幅数ｃｍくらい、好ましくは４ｃｍくらいの幅で各々に面ファスナー４を先端に取り付けた綿布の接着芯５を貼った綿とポリエステル混紡の布地の帯状部材３を左右対になるように設ける。
【００２６】
以下、上記構成のハンドストレッチの使用法を説明する。板体の表面に手の指、掌を当てて、各々の指や手の甲部や手首にそれぞれ帯状部材３を巻き付けて面ファスナー４により留めて手に装着する。
【実施例３】
【００２７】
また、図５、６において複数の通気孔７を設けた掌形状の固定部材６をハンドストレッチ本体の内部に埋め込み、滑り止めの付いた被覆材１の表面に親指の関節を固定できる部分と人差し指・中指・薬指・小指の関節を固定できる部分に１ないし数カ所、幅数ｃｍくらい好ましくは４ｃｍくらいの幅で各々に面ファスナー４を先端に取り付けた綿布の接着芯５を貼った綿とポリエステル混紡の布地の帯状部材３を前記の４本の指を間に挟んで左右対になるように設ける。
【００２８】
また、手の甲部の関節と手首を固定できる位置に、幅数ｃｍくらい、好ましくは４ｃｍくらいの幅で各々に面ファスナー４を先端に取り付けた綿布の接着芯５を貼った綿とポリエステル混紡の布地の帯状部材３を左右対になるように設ける。
【００２９】
以下、上記構成のハンドストレッチの使用法を説明する。指、掌を表面に当てて、それぞれ手指や手の甲部や手首に帯状部材３を巻き付けて面ファスナー４により留めて手に装着する。
【産業上の利用可能性】
【００３０】
麻痺の障害を持つ患者等に使用する手・指の拘縮予防用具として有用なものである。
【図面の簡単な説明】
【００３１】
【図１】本発明の実施例１の形態を示す本介護用ハンドストレッチの右手用と左手用の正面図である。（輪状の指固定バンド）
【図２】同介護用ハンドストレッチの図１における右手用Ａ−Ａ線と左手用Ｂ−Ｂ線の断面図である。
【図３】実施例２の形態を示す本介護用ハンドストレッチの右手用と左手用の正面図である。（帯状の指固定バンド）
【図４】同介護用ハンドストレッチの図３における右手用Ｃ−Ｃ線と左手用Ｄ−Ｄ線の断面図である。
【図５】実施例３の形態を示す本介護用ハンドストレッチの右手用と左手用の正面図である。（帯状の指固定バンド）
【図６】同介護用ハンドストレッチの図５における右手用Ｅ−Ｅ線と左手用Ｆ−Ｆ線の断面図である。
【図７】従来の手指拘縮予防用具の斜視図（左右用）である。
【図８】図７のＧ−Ｇ線に沿った横断面図である。
【符号の説明】
【００３２】
１．  介護用ハンドストレッチ本体（掌形状の被覆材）
１ａ．滑り止め
２．  輪（伸縮性）
３．  帯状部材（布）
４．  面ファスナー
５．  接着芯（綿布）
６．  板状の固定部材
７．  通気孔
８．  従来の手指拘縮予防用具の板体
８ａ．木材
８ｂ．布
９ａ，９ｂ．帯状弾性体（帯状ゴム紐）
１０．掛合部
【図１】
2008000587.tif 000003
【図２】
2008000587.tif 000004
【図３】
2008000587.tif 000005
【図４】
2008000587.tif 000006
【図５】
2008000587.tif 000007
【図６】
2008000587.tif 000008
【図７】
2008000587.tif 000009
【図８】
2008000587.tif 000010